(57)【要約】【課題】  特定の話し手の音声を選択的に記録できるとともに、話し手ごとに音声をテキスト化してレイアウトすることができる撮像装置及び画像出力装置を提供する。【解決手段】  声紋データベース１１０は、話し手の声紋を登録する。声紋判定部１１２は、マイクＭ１、Ｍ２及びＭ３から入力された音声が予め声紋データベース１１０に登録された声紋と合致するか判定する。音声フィルタリング部１１４は、マイクＭ１、Ｍ２及びＭ３から入力された音声から声紋データベース１１０に登録された声紋と合致する音声を抽出する。音声／テキスト変換部１１６は、音声フィルタリング部１１４によって抽出された音声をテキストデータに変換する。データ編集部１１８は、音声／テキスト変換部１１６によって生成されたテキストデータを編集する。話し手方向算出部１２０は、マイクＭ１、Ｍ２及びＭ３から取り込まれた同一の音声の音量の差に基づいて話し手がいる方向を算出する。【選択図】      図２
2006197115.tif 000002
【特許請求の範囲】
【請求項１】
話し手を撮影するための撮像手段と、
前記話し手の音声を入力するための音声入力手段と、
前記話し手の声紋を登録する声紋登録手段と、
前記音声入力手段によって入力された音声をフィルタリングして、前記声紋登録手段に登録された声紋に対応する音声を抽出する音声抽出手段と、
前記抽出された音声をテキストデータに変換するテキストデータ生成手段と、
前記撮像手段によって撮影された画像と前記テキストデータとを関連付けて記録する記録手段と、
を備えることを特徴とする撮像装置。
【請求項２】
前記声紋登録手段には、複数の話し手の声紋と前記話し手を識別する話し手識別情報とが関連付けられて登録されており、
前記テキストデータ生成手段は、複数の話し手の音声が入力された場合に、前記テキストデータを前記話し手ごとに区別可能にすることを特徴とする請求項１記載の撮像装置。
【請求項３】
前記画像と前記テキストデータを画像化したテキスト画像データとを合成する画像・テキスト合成手段を更に備えることを特徴とする請求項１又は２記載の撮像装置。
【請求項４】
前記画像・テキスト合成手段は、前記テキスト画像データの文字のフォント、フォントサイズ、色、背景色、文字装飾、又は段組のうち少なくとも１つを前記話し手ごとに変えることを特徴とする請求項１から３のいずれか１項記載の撮像装置。
【請求項５】
前記話し手識別情報を選択して前記音声抽出手段によって音声を抽出する話し手を指定する抽出音声指定手段を更に備えることを特徴とする請求項１から４のいずれか１項記載の撮像装置。
【請求項６】
前記入力された音声に基づいて前記音声を発した話し手がいる方向を算出する話し手方向算出手段を更に備え、
前記画像・テキスト合成手段は、前記話し手がいる方向に基づいて、前記画像上において前記テキスト画像データをレイアウトすることを特徴とする請求項１から５のいずれか１項記載の撮像装置。
【請求項７】
前記音声入力手段は、複数のマイクからなり、
前記話し手方向算出手段は、前記複数のマイクから入力された音声の音量の差に基づいて前記話し手がいる方向を算出することを特徴とする請求項６記載の撮像装置。
【請求項８】
前記テキストデータを編集するためのテキスト編集手段を更に備えることを特徴とする請求項１から７のいずれか１項記載の撮像装置。
【請求項９】
画像及び前記画像と関連付けられたテキストデータを入力するデータ入力手段と、
前記テキストデータが、複数の話し手によって話された言葉が前記話し手ごとに区別可能にテキスト化されたものである場合に、前記テキスト画像データの文字のフォント、フォントサイズ、色、背景色、文字装飾、又は段組のうち少なくとも１つを前記話し手ごとに変えて、前記テキスト画像データと前記画像を合成して合成画像を作成する画像・テキスト合成手段と、
前記合成画像を出力する出力手段と、
を備えることを特徴とする画像出力装置。
【請求項１０】
画像及び前記画像と関連付けられたテキストデータを入力するデータ入力手段と、
前記テキストデータが、撮影時に前記話し手がいた方向の情報を含む場合に、前記話し手がいた方向に基づいて、前記画像上において前記テキスト画像データをレイアウトして合成画像を作成する画像・テキスト合成手段と、
前記合成画像を出力する出力手段と、
を備えることを特徴とする画像出力装置。
【請求項１１】
前記テキストデータを編集するためのテキスト編集手段を更に備えることを特徴とする請求項９又は１０記載の画像出力装置。
【請求項１２】
前記出力手段は、前記画像をプリントするプリンタであることを特徴とする請求項９から１１のいずれか１項記載の画像出力装置。
【発明の詳細な説明】
【技術分野】
【０００１】
本発明は撮像装置及び画像出力装置に係り、特に画像とともに音声を記録できる撮像装置、及びこのような撮像装置で撮像した画像を出力する画像出力装置に関する。
【背景技術】
【０００２】
従来、入力された音声を分析して文字画像に変換し、被写体像と合成することができるカメラが開発されている（例えば、特許文献１）。特許文献１に開示されたカメラは、画像中の主要被写体領域を判定して、主要被写体領域以外の領域に文字画像を合成する。
【特許文献１】特開２００３−３４８４１０号公報
【発明の開示】
【発明が解決しようとする課題】
【０００３】
しかしながら、上記のようなカメラにおいては、入力された主要な話し手以外の人の声や周囲の雑音等が文字化されてしまったり、文字化が正確に行えなくなるなどの悪影響を及ぼすことがあった。
【０００４】
また、上記特許文献１に係るカメラにおいては、話し手ごとに音声を分別することができなかった。さらに、画像に複数の人が写っている場合に、文字画像を単に主要被写体領域を避けてレイアウトするだけでは、誰の発した声であるのかわかりにくいという問題があった。
【０００５】
本発明はこのような事情に鑑みてなされたもので、特定の話し手の音声を選択的に記録できるとともに、話し手ごとに音声をテキスト化してレイアウトすることができる撮像装置及び画像出力装置を提供することを目的とする。
【課題を解決するための手段】
【０００６】
上記目的を達成するために請求項１に係る撮像装置は、話し手を撮影するための撮像手段と、前記話し手の音声を入力するための音声入力手段と、前記話し手の声紋を登録する声紋登録手段と、前記音声入力手段によって入力された音声をフィルタリングして、前記声紋登録手段に登録された声紋に対応する音声を抽出する音声抽出手段と、前記抽出された音声をテキストデータに変換するテキストデータ生成手段と、前記撮像手段によって撮影された画像と前記テキストデータとを関連付けて記録する記録手段とを備えることを特徴とする。
【０００７】
請求項１に係る撮像装置によれば、主要な話し手以外の人の声やノイズをフィルタリングして声紋を登録済みの話し手の音声のみをテキスト化して画像に付加することができる。これにより、音声のテキスト化の精度の向上を図ることができる。なお、本請求項の音声入力手段は、撮影時に音声を録音するマイクや音声ファイルを入力する記録メディア等である。
【０００８】
請求項２に係る撮像装置は、請求項１において、前記声紋登録手段には、複数の話し手の声紋と前記話し手を識別する話し手識別情報とが関連付けられて登録されており、前記テキストデータ生成手段は、複数の話し手の音声が入力された場合に、前記テキストデータを前記話し手ごとに区別可能にすることを特徴とする。請求項２に係る撮像装置によれば、テキストデータを話し手別に作成できる。
【０００９】
請求項３に係る撮像装置は、請求項１又は２において、前記画像と前記テキストデータを画像化したテキスト画像データとを合成する画像・テキスト合成手段を更に備えることを特徴とする。請求項３に係る撮像装置によれば、画像とテキストデータを合成できる。
【００１０】
請求項４に係る撮像装置は、請求項１から３において、前記画像・テキスト合成手段は、前記テキスト画像データの文字のフォント、フォントサイズ、色、背景色、文字装飾、又は段組のうち少なくとも１つを前記話し手ごとに変えることを特徴とする。請求項４に係る撮像装置によれば、テキストデータから誰の発言かを視覚的に認識しやすくなる。
【００１１】
請求項５に係る撮像装置は、請求項１から４において、前記話し手識別情報を選択して前記音声抽出手段によって音声を抽出する話し手を指定する抽出音声指定手段を更に備えることを特徴とする。請求項５に係る撮像装置によれば、テキスト化する話し手の音声を指定することができる。
【００１２】
請求項６に係る撮像装置は、請求項１から５において、前記入力された音声に基づいて前記音声を発した話し手がいる方向を算出する話し手方向算出手段を更に備え、前記画像・テキスト合成手段は、前記話し手がいる方向に基づいて、前記画像上において前記テキスト画像データをレイアウトすることを特徴とする。
【００１３】
請求項６に係る撮像装置によれば、話し手がいる方向に基づいて、例えば、話し手の画像の近傍にその話し手が発した言葉をテキスト化して配置できる。
【００１４】
請求項７に係る撮像装置は、請求項６において、前記音声入力手段は、複数のマイクからなり、前記話し手方向算出手段は、前記複数のマイクから入力された音声の音量の差に基づいて前記話し手がいる方向を算出することを特徴とする。請求項７に係る撮像装置によれば、話し手方向算出手段を限定したものである。
【００１５】
請求項８に係る撮像装置は、請求項１から７において、前記テキストデータを編集するためのテキスト編集手段を更に備えることを特徴とする。
【００１６】
請求項８に係る撮像装置によれば、音声の誤認識等によりテキストに間違いがある場合等に、テキストデータを編集することができる。
【００１７】
請求項９に係る画像出力装置は、画像及び前記画像と関連付けられたテキストデータを入力するデータ入力手段と、前記テキストデータが、複数の話し手によって話された言葉が前記話し手ごとに区別可能にテキスト化されたものである場合に、前記テキスト画像データの文字のフォント、フォントサイズ、色、背景色、文字装飾、又は段組のうち少なくとも１つを前記話し手ごとに変えて、前記テキスト画像データと前記画像を合成して合成画像を作成する画像・テキスト合成手段と、前記合成画像を出力する出力手段とを備えることを特徴とする。
【００１８】
請求項９に係る画像出力装置によれば、プリント又は画面に表示された合成画像のテキストの体裁から誰の発言かを視覚的に認識しやすくなる。
【００１９】
請求項１０に係る画像出力装置は、画像及び前記画像と関連付けられたテキストデータを入力するデータ入力手段と、前記テキストデータが、撮影時に前記話し手がいた方向の情報を含む場合に、前記話し手がいた方向に基づいて、前記画像上において前記テキスト画像データをレイアウトして合成画像を作成する画像・テキスト合成手段と、前記合成画像を出力する出力手段とを備えることを特徴とする。
【００２０】
請求項１０に係る画像出力装置によれば、プリント又は画面に表示された合成画像上におけるテキストの配置から誰の発言かを視覚的に認識しやすくなる。
【００２１】
請求項１１に係る画像出力装置は、請求項９又は１０において、前記テキストデータを編集するためのテキスト編集手段を更に備えることを特徴とする。
【００２２】
請求項１１に係る画像出力装置によれば、テキストを追加、削除したり、間違い等がある場合等に、テキストデータを編集することができる。
【００２３】
請求項１２に係る画像出力装置は、請求項９から１１において、前記出力手段は、前記画像をプリントするプリンタであることを特徴とする。請求項１２は、請求項９から１１の出力手段をプリンタに限定したものである。
【発明の効果】
【００２４】
本発明によれば、画像データに撮影時の音声等を合成することにより、思い出に残る付加価値の高い画像やプリントを得ることができる。また、声紋判定により特定の話し手の音声を抽出してテキスト化できるので、テキスト化の精度の向上を図ることができる。
【発明を実施するための最良の形態】
【００２５】
以下、添付図面に従って本発明に係る撮像装置及び画像出力装置の好ましい実施の形態について説明する。図１は、本発明の一実施形態に係る撮像装置を示す外観図である。図１（ａ）は撮像装置の正面図であり、図１（ｂ）は上面図、図１（ｃ）は背面図である。同図に示す撮像装置１０は、被写体の静止画像または動画像を電子的に撮像するデジタルカメラである。
【００２６】
図１（ａ）に示すように、撮像装置（デジタルカメラ）１０の正面には、レンズ１２、ファインダ窓１４、ストロボ発光部１６、第１マイクＭ１、第２マイクＭ２が露呈している。また、図１（ｂ）に示すように、撮像装置１０の上面には、レリーズボタン１８が配設されている。
【００２７】
レリーズボタン１８は２段階式に構成され、レリーズボタン１８を軽く押して止める「半押し（Ｓ１＝ＯＮ）」の状態で自動ピント合わせ（ＡＦ）及び自動露出制御（ＡＥ）が作動してＡＦとＡＥをロックし、「半押し」から更に押し込む「全押し（Ｓ２＝ＯＮ）」の状態で撮影が実行される。
【００２８】
図１（ｃ）に示すように、撮像装置１０の背面には、電源スイッチ２０、ファインダ２２、ズームスイッチ２４、マルチファンクションスイッチ（十字ボタン２６及びＯＫボタン２８）、メニュースイッチ３０、ストロボモードスイッチ３２、セルフタイマモードスイッチ３４、削除ボタン３６、録音スイッチ３８、音声記録モード設定スイッチ４０、液晶モニタ（ＬＣＤ）４２、スピーカＳＰ１、及び第３マイクＭ３等が配設されている。
【００２９】
電源スイッチ２０は、スライドスイッチであり、モード設定スイッチとしての役割を兼ねる。ツマミを右方向に移動させると、撮像装置１０の電源をＯＦＦにする「ＯＦＦモード」、撮影用の「カメラモード」、及び撮影された画像の再生用の「再生モード」に順番に設定される。ズームスイッチ２４は、ズーム位置の設定を行うためのスイッチである。
【００３０】
十字ボタン２６は、上下左右の４方向の指示を入力可能な多機能操作部である。左右のボタンは、それぞれ再生モード時に１コマ逆送りボタン、１コマ順送りボタンとして機能し、上下のボタンは、再生ズーム機能等における倍率調整用のズームボタンとして用いられる。また、十字ボタン２６は、液晶モニタ４２に表示されるメニュー画面からメニュー項目を選択したり、各メニューにおける各種設定項目の選択を指示する操作ボタンとして機能する。十字ボタン２６によるメニュー項目等の選択は、中央のＯＫボタン２８の押し下げによって確定される。
【００３１】
メニュースイッチ３０は、各モードの通常画面からメニュー画面へ遷移させる時などに使用される。ストロボモードスイッチ３２は、撮影時にストロボ発光を行うかどうかの設定を行うスイッチである。セルフタイマモードスイッチ３４は、セルフタイマでの撮影を行う際に用いるスイッチであり、セルフタイマで撮影を行う際には、レリーズボタン１８の押し下げ前に押し下げることによりセルフタイマモードで撮影を行えるようになっている。削除ボタン３６は、再生モード時に押し下げることにより再生中の画像を消去するためのスイッチである。
【００３２】
録音スイッチ３８は、音声記録（録音）の開始・終了を制御するスイッチである。録音スイッチ３８が押し下げられると録音が開始され、録音中に録音スイッチ３８が押し下げられると録音が終了する。音声記録モード設定スイッチ４０は、録音を行う際に使用するマイク（マイクＭ１〜Ｍ３、及びその組み合わせ）を指定するためのスライドスイッチである。
【００３３】
液晶モニタ（ＬＣＤ）４２は、撮影時に画角確認用の電子ファインダとして使用できるとともに、撮影した画像のプレビュー画や撮像装置１０に装填された記録メディア（図２の符号１０６）から読み出した再生画像等を表示することができる。また、十字ボタン２６を使用したメニューの選択や各メニューにおける各種設定項目の設定も液晶モニタ４２の表示画面を用いて行われる。さらに、液晶モニタ４２には、撮影可能コマ数（動画については撮影可能時間）や再生コマ番号の表示、ストロボ発光の有無、マクロモード表示、記録画質（クオリティー）表示、画素数表示等の情報も表示される。
【００３４】
図２は、本発明の第１の実施形態に係る撮像装置の内部構成を示すブロック図である。同図に示す撮像装置１０は、ＣＰＵ５０、タイマ５１を備える。ＣＰＵ５０は、撮像装置１０内の各ブロックを制御する統括制御部である。なお、図中の符号５２はデータバスである。
【００３５】
撮像装置１０は、撮像部（撮像手段）として、レンズ（図１の符号１２）及び絞り等を含む光学系５４と、撮像素子（ＣＣＤ）５６とを備える。光学系５４には、アイリスモータドライバ５８と、ＡＦモータドライバ６０と、ズームカム６２とが接続されている。
【００３６】
アイリスモータドライバ５８は、この光学系５４内に設けられた絞りを変位させるアイリス用モータを駆動する。
【００３７】
ＡＦモータドライバ６０は、フォーカシングレンズを変位させるオートフォーカス（ＡＦ）用モータを駆動する。このフォーカシングレンズの位置情報はフォーカスエンコーダ６４によってエンコードされてＣＰＵ５０に送信される。
【００３８】
ズームカム６２は、ズームモータ６６によって駆動されてズームレンズを変位させる。このズームレンズの位置情報はズームエンコーダ６８によってエンコードされてＣＰＵ５０に送信される。
【００３９】
ＣＣＤ５６の出力側には、ＣＤＳアナログデコーダ７０、ホワイトバランスアンプ７２、γ補正回路７４、点順次化回路７６、Ａ／Ｄコンバータ７８が設けられ、ＣＣＤ５６による撮像信号の各種処理がなされてデジタルの画像信号が出力されるようになっている。また、ホワイトバランスアンプ７２には、電子ボリューム（ＥＶＲ）８０が接続され、このホワイトバランスアンプ７２の利得が制御されるようになっている。Ａ／Ｄコンバータ７８の出力はメモリコントローラ８２を介してメインメモリ８４に伝送され、撮像された被写体の画像データはメインメモリ８４に記憶される。
【００４０】
また、ＣＰＵ５０には操作部８６が接続されている。操作部８６は、図１に示したレリーズボタン１８、電源スイッチ２０、ズームスイッチ２４、マルチファンクションスイッチ（十字ボタン２６及びＯＫボタン２８）、メニュースイッチ３０、ストロボモードスイッチ３２、セルフタイマモードスイッチ３４、削除ボタン３６、録音スイッチ３８及び音声記録モード設定スイッチ４０等の操作部材を含んでいる。
【００４１】
また、データバス５２には、圧縮伸長部８８、ＭＰＥＧエンコーダ＆デコーダ９０、ＹＣ信号作成部９２、外部メモリインターフェイス（外部メモリＩ／Ｆ）９４、外部機器接続インターフェイス（外部機器接続Ｉ／Ｆ）９６、モニタ（ＬＣＤ）ドライバ９８、オーディオ入出力回路１００が接続されている。
【００４２】
圧縮伸長部８８は、ＪＰＥＧ方式等による画像データの圧縮処理及び伸長処理を行うものである。ＭＰＥＧエンコーダ＆デコーダ９０は、ＭＰＥＧ方式の動画像データへの符号化及びＭＰＥＧ圧縮符号化された動画像データの復号化を行うものである。ＹＣ信号作成部９２は、ＮＴＳＣ方式の映像信号を生成するための輝度信号Ｙと色差信号Ｒ−Ｙ，Ｂ−Ｙとを分離生成するものである。ＹＣ信号作成部９２の後段には、輝度信号Ｙと色差信号Ｒ−Ｙ，Ｂ−Ｙの比を４：４：４から４：２：２に変換する色変換部１０２と、ＮＴＳＣ方式の映像信号を生成出力するＮＴＳＣエンコーダ１０４とが設けられている。
【００４３】
なお、上記の圧縮伸長部８８、ＭＰＥＧエンコーダ＆デコーダ９０、ＹＣ信号作成部９２、色変換部１０２、ＮＴＳＣエンコーダ１０４は、専用の信号処理回路で構成してもよいし、ＣＰＵ５０においてソフトウェアの処理により行うものやＤＳＰ等の信号処理回路において機能を持たせたものなどで構成することも可能である。
【００４４】
モニタ（ＬＣＤ）ドライバ９８には液晶モニタ（ＬＣＤ）４２が接続され、撮影しようとしている被写体のスルー動画や撮影後の記録画像、及び各種状態表示や設定画面などが液晶モニタ４２の画面上に表示されるようになっている。上記オーディオ入出力回路１００にはスピーカＳＰ１、及びマイクＭ１、Ｍ２及びＭ３が接続され、撮影時などにおける各種動作音が再生出力されるとともに、動画撮影時の音声信号が入力される。
【００４５】
このように構成された撮像装置１０において、被写体の像は光学系５４によってＣＣＤ５６の撮像面上に結像されて光電変換される。ＣＣＤ５６から出力される撮像信号は、ＣＤＳアナログデコーダ７０によって相関２重サンプリングが行われてノイズ成分がキャンセルされた後、ホワイトバランスアンプ７２でカラー画像信号のホワイトレベルが調整される。そして、γ補正回路７４でγ補正が行われ、点順次化回路７６を経てＡ／Ｄコンバータ７８によってＡ／Ｄ変換されてデジタルの画像データとして出力される。このデジタル画像データは、メモリコントローラ８２を介してメインメモリ８４に格納される。
【００４６】
このデジタル画像データは、撮影中の被写体画像として液晶モニタ４２の画面上に表示される。撮影者はこの被写体画像を見ながら、レリーズスイッチ１８を押圧してオン（Ｓ２＝ＯＮ）することによって、被写体の静止画像または動画像を撮影する。撮影後の画像データは、圧縮伸長部８８で圧縮処理されて、ＭＰＥＧエンコーダ＆デコーダ９０でＭＰＥＧ圧縮符号化される。こうして処理されたデジタル画像データは、外部メモリＩ／Ｆ９４を介して外部の記録メディア１０６、あるいは外部機器接続Ｉ／Ｆ９６を介してパソコン等の外部機器１０８に送られて記録される。また、撮影した画像データは、ＹＣ信号作成部９２、色変換部１０２、ＮＴＳＣエンコーダ１０４を経てＮＴＳＣ映像信号に変換されてビデオ出力される。
【００４７】
さらに、撮像装置１０は、声紋データベース１１０と、声紋判定部１１２と、音声フィルタリング部１１４と、音声／テキスト変換部１１６と、データ編集部１１８と、話し手方向算出部１２０とを備える。
【００４８】
声紋データベース１１０は、話し手の声紋を登録する機能部である。声紋判定部１１２は、マイクＭ１、Ｍ２及びＭ３から入力された音声が予め声紋データベース１１０に登録された声紋と合致するか判定する機能部である。音声フィルタリング部１１４は、マイクＭ１、Ｍ２及びＭ３から入力された音声をフィルタリングして、声紋データベース１１０に登録された声紋と合致する音声を抽出する機能部である。
【００４９】
音声／テキスト変換部１１６は、音声フィルタリング部１１４によって抽出された音声の音声認識処理を行ってテキストデータに変換する機能部である。音声／テキスト変換部１１６によって生成されたテキストデータは記録メディア１０６に記録される。
【００５０】
データ編集部１１８は、音声／テキスト変換部１１６によって生成されたテキストデータを編集するための機能部であり、外部機器接続Ｉ／Ｆ９６を介して接続された外部機器１０８（パソコンやキーボード、モニタ等）からの入力に基づいてテキストデータを編集、レイアウトするためのエディタを含んでいる。
【００５１】
話し手方向算出部１２０は、マイクＭ１、Ｍ２及びＭ３から取り込まれた同一の音声の音量の差に基づいて話し手がいる方向を算出する機能部である。
【００５２】
次に、撮像装置１０に声紋を登録する方法について説明する。図３は、声紋の登録方法を示すフローチャートである。
【００５３】
まず、メニュースイッチ３０及びマルチファンクションスイッチが操作され、ＣＰＵ５０によって声紋登録モードに設定されたことが検知される（ステップＳ１０）。次に、録音スイッチ３８が押し下げられたことがＣＰＵ５０によって検知されると（ステップＳ１２）、音声記録モード設定スイッチ４０によって選択されたマイク（Ｍ１、Ｍ２又はＭ３の少なくとも１つ）によって録音が開始される（ステップＳ１４）。ステップＳ１４においては、例えば、声紋認識用の所定の単語や文章等が話し手によって読み上げられて録音される。そして、録音スイッチ３８が押し下げられたことがＣＰＵ５０によって検知されると（ステップＳ１６）、録音が終了する（ステップＳ１８）。
【００５４】
次に、上記のステップにおいて録音された音声が再生され、録音をやり直すか、再生された音声を登録するかを選択する選択画面が表示される（ステップＳ２０）。ステップＳ２０において、話し手が再生された音声を気に入らない場合等、選択画面で録音のやり直しが選択されると、この選択画面の操作がＣＰＵ５０によって検知されてステップＳ１２に戻る。一方、ステップＳ２０において、再生された音声を登録することが選択された場合には、声紋判定部１１２によって声紋が分析される（ステップＳ２２）。そして、声紋登録者名の入力画面が表示されて、入力された声紋登録者名がＣＰＵ５０によって認識され（ステップＳ２４）、声紋データベース１１０に声紋が声紋登録者名と関連付けられて登録される（ステップＳ２６）。
【００５５】
本実施形態の撮像装置１０では、音声記録モードにおいて撮影中、撮影の前後のいずれに音声入力を行うかをメニュー選択により選択できる。以下の説明では、これらをそれぞれ撮影中録音モード、撮影前録音モード及び撮影後録音モードという。まず、撮影中録音モードについて説明する。図４は、撮影中録音モードで撮影する場合の処理を示すフローチャートである。
【００５６】
まず、レリーズボタン１８が半押し（Ｓ１＝ＯＮ）されると（ステップＳ３０）、上述のようにＡＦ及びＡＥのロックが行われる（ステップＳ３２）。そして、タイマ５１がリセットされ（ステップＳ３４）、音声記録モード設定スイッチ４０によって選択されたマイク（Ｍ１、Ｍ２又はＭ３の少なくとも１つ。以下の説明では単にマイクＭという）によって録音が開始される（ステップＳ３６）。この録音時間は、上記のタイマ５１によってカウントされる。また、ステップＳ３６においては、マイクＭから取り込まれた音声が声紋判定部１１２によって解析されて、声紋データベース１１０に登録された声紋と照合される。
【００５７】
図５は、音声の解析を模式的に示す図である。図５に示すように、マイクＭから取り込まれた音声は声紋判定部１１２によって解析されて、声紋データベース１１０に登録済みの音声が音声フィルタリング部１１４によって抽出されて、抽出された音声のみが録音され、声紋登録者名と音声データが関連付けられて（例えば、声紋登録者ごとに別の音声ファイルに）保存される。
【００５８】
なお、本実施形態においては、ステップＳ３６の録音開始時に各話し手が所定のパスワード（例えば、名前等）を話すことにより、このパスワードに対応する話し手の音声の認識が開始されるようにしてもよい。
【００５９】
図４のフローチャートの説明に戻ると、次いでレリーズボタン１８が全押し（Ｓ２＝ＯＮ）されると（ステップＳ３８）、撮像が行われて（ステップＳ４０）、画像データが記録メディア１０６に保存される（ステップＳ４２）。そして、録音スイッチ３８がＯＮになると（ステップＳ４４）、録音が終了する（ステップＳ４８）。また、録音スイッチ３８がＯＮにならなかった場合にも、タイマ５１によってカウントされた録音開始からの経過時間が所定時間以上となると（ステップＳ４６）、録音が終了する（ステップＳ４８）。
【００６０】
その次に、録音された音声から話し手方向算出部１２０によって話し手がいる方向が算出されるとともに（ステップＳ５０）、録音された音声が音声／テキスト変換部１１６によってテキストに変換される（ステップＳ５２）。そして、音声のテキストへの変換が終了すると、モニタ４２、又は外部機器接続Ｉ／Ｆ９６を介して接続されたパソコンやモニタ等にテキストデータが表示されて、テキストデータを編集するかどうかを選択する選択画面が表示される（ステップＳ５４）。ステップＳ５４においてテキストデータの編集が選択された場合には、操作部８６や外部機器接続Ｉ／Ｆ９６を介して接続されたパソコンやキーボード等によりテキストデータの編集が行われ（ステップＳ５６）、このテキストデータ及び話し手がいる方向の情報（話し手方向情報）がステップＳ４２で保存された画像データに埋め込まれて記録メディア１０６に保存される（ステップＳ５８）。一方、ステップＳ５４においてテキストデータの保存が選択された場合には、テキストデータは編集されずに話し手方向情報とともに上記画像データに埋め込まれて記録メディア１０６に保存される（ステップＳ５８）。
【００６１】
次に、撮影前録音モードについて説明する。図６は、撮影前録音モードで撮影する場合の処理を示すフローチャートである。
【００６２】
まず、録音スイッチ３８がＯＮになると（ステップＳ７０）、音声記録モード設定スイッチ４０によって選択されたマイクＭによって録音が開始される（ステップＳ７２）。そして、録音スイッチ３８がＯＮになると（ステップＳ７４）、録音が終了する（ステップＳ７６）。なお、ステップＳ７２においては、上記のステップＳ３６と同様に、マイクＭから取り込まれた音声から声紋データベース１１０に登録済みの音声が音声フィルタリング部１１４によって抽出されて録音される。
【００６３】
次に、録音された音声から話し手方向算出部１２０によって話し手がいる方向が算出されるとともに（ステップＳ７８）、録音された音声が音声／テキスト変換部１１６によってテキストに変換される（ステップＳ８０）。そして、音声のテキストへの変換が終了すると、上記のステップＳ５４と同様にテキストデータを編集するかどうかを選択する選択画面が表示される（ステップＳ８２）。ステップＳ８２においてテキストデータの編集が選択された場合には、テキストデータの編集が行われて（ステップＳ８４）、記録メディア１０６に保存される。一方、ステップＳ８２においてテキストデータの保存が選択された場合には、テキストデータは編集されずに記録メディア１０６に保存される。
【００６４】
その次に、レリーズボタン１８が半押し（Ｓ１＝ＯＮ）されると（ステップＳ８６）、上述のようにＡＦ及びＡＥのロックが行われる（ステップＳ８８）。そして、レリーズボタン１８が全押し（Ｓ２＝ＯＮ）されると（ステップＳ９０）、撮像が行われる（ステップＳ９２）。そして、画像データに上記のテキストデータ及び話し手方向情報が埋め込まれて記録メディア１０６に保存される（ステップＳ９４）。
【００６５】
次に、撮影後録音モードについて説明する。図７は、撮影後録音モードで撮影する場合の処理を示すフローチャートである。
【００６６】
まず、レリーズボタン１８が半押し（Ｓ１＝ＯＮ）されると（ステップＳ１００）、上述のようにＡＦ及びＡＥのロックが行われる（ステップＳ１０２）。そして、レリーズボタン１８が全押し（Ｓ２＝ＯＮ）されると（ステップＳ１０４）、撮像が行われて（ステップＳ１０６）、画像データが記録メディア１０６に保存される（ステップＳ１０８）。
【００６７】
次に、録音スイッチ３８がＯＮになると（ステップＳ１１０）、音声記録モード設定スイッチ４０によって選択されたマイクＭによって録音が開始される（ステップＳ１１２）。そして、録音スイッチ３８がＯＮになると（ステップＳ１１４）、録音が終了する（ステップＳ１１６）。なお、ステップＳ１１２においては、上記のステップＳ３６等と同様に、マイクＭから取り込まれた音声から声紋データベース１１０に登録済みの音声が音声フィルタリング部１１４によって抽出されて録音される。
【００６８】
その次に、録音された音声から話し手方向算出部１２０によって話し手がいる方向が算出されるとともに（ステップＳ１１８）、録音された音声が音声／テキスト変換部１１６によってテキストに変換される（ステップＳ１２０）。そして、音声のテキストへの変換が終了すると、上記のステップＳ５４等と同様にテキストデータを編集するかどうかを選択する選択画面が表示される（ステップＳ１２２）。ステップＳ１２２においてテキストデータの編集が選択された場合には、テキストデータの編集が行われて（ステップＳ１２４）、ステップＳ１２６に進む。一方、ステップＳ１２２においてテキストデータの保存が選択された場合には、テキストデータは編集されずにステップＳ１２６に進む。
【００６９】
その次に、記録メディア１０６に保存されている画像データが読み出される。そして、十字ボタン２６等によって上記のテキストデータと関連付けるための画像データが指定され（ステップＳ１２６）、指定された画像データに上記テキストデータ及び話し手方向情報が埋め込まれて記録メディア１０６に保存される（ステップＳ１２８）。
【００７０】
なお、図６の撮影前録音モードや図７の撮影後録音モードの場合にも、図４の撮影中録音モードと同様にタイマ５１によって録音時間を制御してもよい。
【００７１】
また、本実施形態の撮像装置１０においては、音声記録モードがＯＦＦの場合にも、撮影後に録音を行うかどうか選択することができる。図８は、音声記録モードがＯＦＦの場合の処理を示すフローチャートである。
【００７２】
まず、レリーズボタン１８が半押し（Ｓ１＝ＯＮ）されると（ステップＳ１４０）、上述のようにＡＦ及びＡＥのロックが行われる（ステップＳ１４２）。そして、レリーズボタン１８が全押し（Ｓ２＝ＯＮ）されると（ステップＳ１４４）、撮像が行われて（ステップＳ１４６）、画像データが記録メディア１０６に保存される（ステップＳ１４８）。
【００７３】
次に、録音を行うかどうかを選択する選択画面が液晶モニタ４２に表示される（ステップＳ１５０）。ステップＳ１５０において録音を行わないことが選択された場合には終了する。一方、ステップＳ１５０において録音を行うことが選択された場合には、自動的に音声記録モードがＯＮとなる。この場合、音声記録モード設定スイッチ４０で使用するマイクを選択するように促す画面が液晶モニタ４２に表示される。
【００７４】
そして、音声記録モード設定スイッチ４０により使用するマイクＭが選択され、録音スイッチ３８がＯＮになると（ステップＳ１５２）、音声記録モード設定スイッチ４０によって選択されたマイクＭによって録音が開始される（ステップＳ１５４）。なお、音声記録モード設定スイッチ４０のスライド位置によらず、自動的に所定のマイクで録音できるように設定されていてもよい。録音開始後、録音スイッチ３８がＯＮになると（ステップＳ１５６）、録音が終了する（ステップＳ１５８）。ステップＳ１５４においては、上記のステップＳ３６等と同様に、マイクＭから取り込まれた音声から声紋データベース１１０に登録済みの音声が音声フィルタリング部１１４によって抽出されて録音される。なお、このあとのステップＳ１６０からＳ１７０については、上記図７のステップＳ１１８からＳ１２８と同様であるため説明を省略する。
【００７５】
本実施形態の撮像装置１０によれば、あらかじめ声紋データベース１１０に声紋を登録した特定の話し手の音声を選択的にテキスト化して記録できる。また、声紋を登録した話し手ごとに音声をテキスト化して、誰の発した言葉か分かりやすいように画像中にテキストをレイアウトすることができる。
【００７６】
なお、上記の図４及び図６から図８においては、録音時に音声の分析を行って音声フィルタリング部１１４によって抽出された音声を録音するようにしたが、録音時に音声のフィルタリングを行わずに、テキストデータの生成時（図４のステップＳ５２、図６のステップＳ８０、図７のステップＳ１２０及び図８のステップＳ１６２）に音声の分析を行って声紋登録者の音声のみをテキスト化するようにしてもよい。
【００７７】
また、本実施形態の撮像装置１０においては、あらかじめ作成しておいた音声データやテキストデータを画像に埋め込むこともできる。図９は、音声データ又はテキストデータを画像データに埋め込む場合の処理を示すフローチャートである。
【００７８】
まず、電源スイッチ２０により画像を再生する再生モードに設定され（ステップＳ１８０）、十字ボタン２６等によって画像データが選択される（ステップＳ１８２）。次に、音声データが再生、又はテキストデータが表示され（ステップＳ１８４）、画像データに埋め込む音声データ又はテキストデータが選択される（ステップＳ１８６）。
【００７９】
ステップＳ１８６においてテキストデータが選択された場合には（ステップＳ１８８）、ステップＳ１９２に進む。一方、ステップＳ１８６において音声データが選択された場合には（ステップＳ１８８）、選択された音声データが音声／テキスト変換部１１６によってテキストデータに変換される（ステップＳ１９０）。そして、話し手方向算出部１２０によって音声データから画像の撮影時に話し手がいた方向が算出される（ステップＳ１９２）。
【００８０】
その次に、モニタ４２等にテキストデータが表示されて、テキストデータを編集するかどうかの確認画面が表示される（ステップＳ１９４）。ステップＳ１９４においてテキストデータの編集が選択された場合には、テキストデータの編集が行われ（ステップＳ１９６）、テキストデータが話し手方向情報とともにステップＳ１８２で選択された画像データに埋め込まれて記録メディア１０６に保存される（ステップＳ１９８）。一方、ステップＳ１９４においてテキストデータの保存が選択された場合には、テキストデータは編集されずに話し手方向情報とともに上記画像データに埋め込まれて記録メディア１０６に保存される（ステップＳ１９８）。
【００８１】
次に、本発明の第２の実施形態に係る撮像装置について説明する。図１０は、本発明の第２の実施形態に係る撮像装置の内部構成を示すブロック図である。図１０に示す撮像装置１０は、フォントライブラリ１２２、テキスト／画像変換部１２４、テキスト画像合成部１２６を備える。
【００８２】
フォントライブラリ１２２は、さまざまな文字フォントを格納する。音声／テキスト変換部１１６は、話し手が複数の場合に、このフォントライブラリ１２２を参照してテキストのフォント、フォントサイズ、色、背景色、又は文字装飾（例えば、アンダーラインや太字、斜体文字、網かけ、蛍光ペン、囲み文字、文字の回転、影付き文字、白抜き文字等）等を話し手ごとに変えることにより、テキストと話し手の対応が視覚的に判別できるようなレイアウトを行う。なお、音声／テキスト変換部１１６によって設定されたフォントは、データ編集部１１８によって変更することができる。
【００８３】
テキスト／画像変換部１２４は、テキストデータをテキスト画像データに変換する。このテキスト画像データは、テキストデータが埋め込み対象の画像データと同様のファイル形式に変換されたものである。テキスト画像合成部１２６は、話し手方向算出部１２０によって算出された話し手の方向に基づいて、このテキスト画像データと画像データとを合成して合成画像を作成する。
【００８４】
図１１は、合成画像の例を示す図である。なお、同図に示す声紋登録者Ａ、Ｂ及び声紋未登録者は図５に対応している。図１１に示すように、声紋登録者Ａ、Ｂの音声に対応するテキスト画像データは、上記話し手方向情報に基づいて、例えば、撮像装置１０側から見て左にいる声紋登録者Ｂの声は画像中の左側に、中央にいる声紋登録者Ａの声は中央付近にレイアウトされる。また、マイクＭ３によって録音された撮影者の音声は、被写体と重ならないような位置や裏面等にレイアウトされる。
【００８５】
また、図１１（ａ）に示すようにテキスト画像データは画像中に埋め込まれてもよいし、図１１（ｂ）に示すように画像の余白の部分に配置されるようにしてもよい。上記のようなテキスト画像データのレイアウトは、操作部８６や外部機器接続Ｉ／Ｆ９６を介して接続されたパソコンやキーボード等により編集することができる。
【００８６】
本実施形態の撮像装置１０によれば、テキストデータを話し手ごとに体裁（フォント、フォントサイズ、色等）が異なるテキスト画像データに変換して合成するため、テキストと話し手の対応が視覚的に判別しやすくなる。
【００８７】
次に、本発明の画像出力装置について説明する。図１２は、本発明の一実施形態に係る画像出力装置の内部構成を示すブロック図である。同図に示す画像出力装置１５０（以下では、プリント装置という）は、ＤＰＥ店や家電量販店等の店頭などに設置され、一般ユーザによって利用されるもので、特に、上記の撮像装置１０により撮像された画像を印画するのに適したものである。
【００８８】
プリント装置１５０内のＣＰＵ１５２は、バス１５４を介してメモリコントローラ１５６、記録メディア・リーダ／ライタ１５８、ＲＡＷ現像エンジン１６０、カラーマネージメント用データベース１６２、ＲＧＢ／ＹＭＣ（Ｋ）変換回路１６４、及びプリンタ１６６と接続されている。図中の通信インターフェイス（通信Ｉ／Ｆ）１６８は、プリント装置１５０を管理するためのデータベースサーバ１７０との通信用のインターフェイスである。データベースサーバ１７０は、プリント装置１５０が設置された店舗やプリント装置１５０と通信回線を介して接続された管理センタ等に設置され、各プリント装置１５０のプリント履歴や売り上げデータ等を管理する。
【００８９】
また、ＣＰＵ１５２には、タッチパネル１７２と、ディスプレイ１７４を駆動するためのディスプレイドライバ１７６と、課金装置１７８とが接続されている。
【００９０】
各種の撮像装置１０の記録メディア１０６（図２及び図１０参照）に記録された画像データは、記録メディア・リーダ／ライタ１５８によって読み取られ、メモリコントローラ１５６を介して作業用メモリ１８０に一時記憶される。
【００９１】
タッチパネル１７２は、ディスプレイ１７４上に配置され、ディスプレイ１７４に表示された画像から印画する画像をタッチして選択したり、印画枚数やプリント用紙のサイズ、プリント倍率等の指定等を行うための入力手段として機能する。課金装置１７８は、タッチパネル１７３によって指定された印画枚数等に応じて、例えばコインマシンによる現金の徴収、及び釣り銭処理を行う。
【００９２】
ＲＡＷ現像エンジン１６０は、記録メディアから読み取った画像データがＲＡＷデータ（ＣＣＤ等の撮像素子から出力された未処理の画像データ）の場合に、そのＲＡＷデータに対してリニアマトリクス処理、ホワイトバランス処理、同時化処理等を行ってディスプレイ１７４等に出力できるデータを生成する。
【００９３】
カラーマネージメント用データベース１６２には、ディスプレイ１７４に表示される画像とプリンタ１６６でプリントされる画像との色の差を補正し、同じ色に再現するためのデータが格納される。
【００９４】
ＲＧＢ／ＹＭＣ（Ｋ）変換回路１６４は、各種の画像処理が施されたＲ、Ｇ、ＢデータをＹ、Ｍ、Ｃ、（Ｋ）（イエロー、マゼンタ、シアン、（ブラック））データに変換し、この変換したＹ、Ｍ、Ｃ、（Ｋ）データをプリンタ１６６に出力する。
【００９５】
プリンタ１６６としては、例えば、印画方式としてＴＡ（サーモオートクローム）方式を採用したものを用いることができる。ＴＡ方式のプリンタは、Ｃ、Ｍ、Ｙの各発色層を有するカラー印画紙（以下、「ＴＡペーパー」という）自体を熱で発色させ、所定の波長の光の照射で定着するものであり、ＴＡペーパーを搬送する手段、サーマルヘッド、定着ランプ等を有している。カラー画像をＴＡペーパーに印画する場合には、まずＴＡペーパーを搬送するとともにＹデータによってサーマルヘッドを制御し、ＴＡペーパーのイエロー層を発色させ、続いて定着ランプによってイエローの発色を定着させる。ＴＡペーパーのマゼンタ層及びシアン層の発色もＭデータ、Ｃデータに基づいて同様に行われ、これによりＴＡペーパーにカラー画像を印画する。尚、この実施の形態のプリンタ１６６は、ＴＡプリンタであるが、これに限らず、本発明は他の感熱プリンタやインクジェットプリンタ等の他の形式のプリンタにも適用できる。
【００９６】
さらに、プリント装置１５０は、データ編集部１８２、フォントライブラリ１８４、テキスト／画像変換部１８６、テキスト画像合成部１８８を備える。
【００９７】
データ編集部１８２は、画像データに埋め込まれたテキストデータを編集するための機能部であり、タッチパネル１７２からの入力に基づいてテキストデータを編集、レイアウトするためのエディタを含んでいる。フォントライブラリ１８４には、さまざまな文字フォントが格納されており、タッチパネル１７２からの入力に基づいてテキストデータのフォントが変更できる。
【００９８】
テキスト／画像変換部１８６は、テキストデータをテキスト画像データに変換する。このテキスト画像データは、テキストデータを埋め込み対象の画像データと同様のファイル形式に変換したものである。テキスト画像合成部１８８は、このテキスト画像データを画像データに埋め込む。
【００９９】
次に、上記構成のプリント装置１５０による印画動作について、図１３のフローチャートを参照して説明する。図１３は、プリント装置１５０による印画動作を示すフローチャートである。
【０１００】
まず、記録メディア１０６から画像データが読み込まれると（ステップＳ２１０）、読み込まれた画像データにテキストデータが埋め込まれているかどうか判断される（ステップＳ２１２）。ステップＳ２１２においてテキストデータが埋め込まれていない場合には、ステップＳ２４８に進み、タッチパネル１７２によってプリント枚数やサイズ、用紙等の指定が行われて、画像データがプリントされる。
【０１０１】
一方、ステップＳ２１２においてテキストデータが埋め込まれている場合には、テキストデータを画像データとともにプリントするかどうかを選択する選択画面がディスプレイ１７４に表示される（ステップＳ２１４）。ステップＳ２１４においてテキストデータをプリントしない場合には、ステップＳ２４８に進み、画像データがプリントされる。一方、ステップＳ２１４においてテキストデータをプリントする場合には、テキストデータの合成方式が設定され（ステップＳ２１６）、設定された合成方式でテキストデータがレイアウトされてディスプレイ１７４に表示される（ステップＳ２１８）。ステップＳ２１６においては、タッチパネル１７２からの操作入力により、吹き出しや枠等の中にテキストデータをレイアウトすることができる。
【０１０２】
次に、ディスプレイ１７４に表示されたテキストデータを編集するかどうかを選択する選択画面が表示される（ステップＳ２２０）。ステップＳ２２０においてテキストデータの編集が選択された場合には、タッチパネル１７２によりテキストデータの編集が行われ（ステップＳ２２２）、ステップＳ２２０に戻る。そして、ステップＳ２２０においてテキストデータの編集が終了すると、画像データから話し手がいた方向（話し手方向情報）が読み込まれる（ステップＳ２２４）。
【０１０３】
次に、テキスト／画像変換部１８６によってテキストデータが上記画像データに埋め込むのに適した形式のテキスト画像データに変換される（ステップＳ２２６）。ステップＳ２２６においては、フォントライブラリ１８４が参照されて、話し手（声紋登録者）別又は話し手の方向別にテキストデータのフォント、フォントサイズ、色、背景色、又は文字装飾（例えば、アンダーラインや太字、斜体文字、網かけ、蛍光ペン、囲み文字、文字の回転、影付き文字、白抜き文字等）等が設定される。そして、上記のようなテキストデータのフォント等の体裁を変更するかどうかを選択する選択画面がディスプレイ１７４に表示される（ステップＳ２２８）。ステップＳ２２８においてテキストデータの体裁を変更しない場合には、ステップＳ２３２に進む、一方、ステップＳ２２８においてテキストデータの体裁を変更する場合には、タッチパネル１７２からの操作入力によってテキストデータの体裁が変更されて（ステップＳ２３０）、ステップＳ２３２に進む。
【０１０４】
次いで、テキスト画像データを画像データ上にレイアウトする際のレイアウト方法が選択される（ステップＳ２３２及びＳ２３６）。ステップＳ２３２において上記の話し手の方向情報に基づいてテキスト画像データをレイアウトすることが選択された場合には、ステップＳ２３４においてテキスト画像データがレイアウトされる。一方、話し手の方向情報ではなく、自動レイアウトが選択された場合には（ステップＳ２３６）、データ編集部１８２によってテキスト画像データが自動的にレイアウトされる（ステップＳ２３８）。また、手動レイアウトが選択された場合には（ステップＳ２３６）、タッチパネル１７２からの操作入力によりテキスト画像データが手動でレイアウトされる（ステップＳ２４０）。
【０１０５】
そして、テキスト画像データが合成された合成画像（ステップＳ２４２）が表示され、レイアウトの確認画面がディスプレイ１７４に表示される（ステップＳ２４４）。ステップＳ２４４においてレイアウトの編集が選択された場合には、タッチパネル１７２からの操作入力によりレイアウトが調整されて（ステップＳ２４６）、ステップＳ２４２に戻る。次に、テキスト画像データのレイアウトが終了すると（ステップＳ２４４）、タッチパネル１７２によってプリント枚数やサイズ、用紙等の指定が行われて、合成画像がプリントされる（ステップＳ２４８）。
【０１０６】
本実施形態の画像出力装置（プリント装置）１５０によれば、画像データに撮影時の音声等を合成してプリントすることにより、思い出に残る付加価値の高いプリントを得ることができる。また、撮像装置がテキストデータと画像データのレイアウトや合成機能を有さない場合であっても、画像データとテキストデータとを合成してプリントすることができる。
【０１０７】
なお、上記の各実施形態においては、撮像装置１０の機種名や光学系５４の諸元（例えば、焦点距離やズーム位置）、撮像素子の感度、シャッタスピード撮影日時等をテキストデータとして画像に埋め込むようにしてもよい。
【図面の簡単な説明】
【０１０８】
【図１】本発明の一実施形態に係る撮像装置を示す外観図
【図２】本発明の第１の実施形態に係る撮像装置の内部構成を示すブロック図
【図３】声紋の登録方法を示すフローチャート
【図４】撮影中録音モードで撮影する場合の処理を示すフローチャート
【図５】音声の解析を模式的に示す図
【図６】撮影前録音モードで撮影する場合の処理を示すフローチャート
【図７】撮影後録音モードで撮影する場合の処理を示すフローチャート
【図８】音声記録モードがＯＦＦの場合の処理を示すフローチャート
【図９】音声データ又はテキストデータを画像と合成する場合の処理を示すフローチャート
【図１０】本発明の第２の実施形態に係る撮像装置の内部構成を示すブロック図
【図１１】合成画像の例を示す図
【図１２】本発明の一実施形態に係る画像出力装置（プリント装置）の内部構成を示すブロック図
【図１３】本発明の一実施形態に係る画像出力装置（プリント装置）による印画動作を示すフローチャート
【符号の説明】
【０１０９】
１０…撮像装置、１２…レンズ、１４…ファインダ窓、１６…ストロボ発光部、１８…レリーズボタン、２０…電源スイッチ、２２…ファインダ、２４…ズームスイッチ、２６…十字ボタン、２８…ＯＫボタン、３０…メニュースイッチ、３２…ストロボモードスイッチ、３４…セルフタイマモードスイッチ、３６…削除ボタン、３８…録音スイッチ、４０…音声記録モード設定スイッチ、４２…液晶モニタ、Ｍ１、Ｍ２、Ｍ３…マイク、ＳＰ１…スピーカ、５０…ＣＰＵ、５１…タイマ、５２…データバス、５４…光学系、５６…撮像素子（ＣＣＤ）、５８…アイリスモータドライバ、６０…ＡＦモータドライバ、６２…ズームカム、６４…フォーカスエンコーダ、６６…ズームモータ、６８…ズームエンコーダ、７０…ＣＤＳアナログデコーダ、７２…ホワイトバランスアンプ、７４…γ補正回路、７６…点順次化回路、７８…Ａ／Ｄコンバータ、８０…電子ボリューム（ＥＶＲ）、８２…メモリコントローラ、８４…メインメモリ、８６…操作部、８８…圧縮伸長部、９０…ＭＰＥＧエンコーダ＆デコーダ、９２…ＹＣ信号作成部、９４…外部メモリインターフェイス、９６…外部機器接続インターフェイス、９８…モニタドライバ、１００…オーディオ入出力回路、１０２…色変換部、１０４…ＮＴＳＣエンコーダ、１０６…記録メディア、１０８…外部機器、１１０…声紋データベース、１１２…声紋判定部、１１４…音声フィルタリング部、１１６…音声／テキスト変換部、１１８…データ編集部、１２０…話し手方向算出部、１２２…フォントライブラリ、１２４…テキスト／画像変換部、１２６…画像合成部、１５０…画像出力装置（プリント装置）、１５２…ＣＰＵ、１５４…バス、１５６…メモリコントローラ、１５８…記録メディア・リーダ／ライタ、１６０…ＲＡＷ現像エンジン、１６２…カラーマネージメント用データベース、１６４…ＲＧＢ／ＹＭＣ（Ｋ）変換回路、１６６…プリンタ、１６８…通信インターフェイス、１７０…データベースサーバ、１７２…タッチパネル、１７４…ディスプレイ、１７６…ディスプレイドライバ、１７８…課金装置、１８０…作業用メモリ、１８２…データ編集部、１８４…フォントライブラリ、１８６…テキスト／画像変換部、１８８…テキスト画像合成部
【図１】
2006197115.tif 000003
【図２】
2006197115.tif 000004
【図３】
2006197115.tif 000005
【図４】
2006197115.tif 000006
【図５】
2006197115.tif 000007
【図６】
2006197115.tif 000008
【図７】
2006197115.tif 000009
【図８】
2006197115.tif 000010
【図９】
2006197115.tif 000011
【図１０】
2006197115.tif 000012
【図１１】
2006197115.tif 000013
【図１２】
2006197115.tif 000014
【図１３】
2006197115.tif 000015